(57)【要約】【課題】発熱部品を冷却するための冷却体とラジエータとの間で冷却媒体を循環させるための２個の遠心ポンプを備え、１個の遠心ポンプが故障等で停止しても冷却体とラジエータとの間で冷却媒体を循環させることが可能な冷却装置において、構成を簡素化することが可能な冷却装置を提供する。【解決手段】冷却装置１は、発熱部品２に取り付けられる冷却体３とラジエータ４との間で冷却媒体を循環させるための遠心ポンプ６Ａ、６Ｂを備えている。ラジエータ４は、複数の冷却管と、複数の冷却管の一端が繋がる第１タンク室１１と、複数の冷却管の他端が繋がる第２タンク室１２とを備えており、第１タンク室１１には、遠心ポンプ６Ａの吸込口２３ａが繋がり、第２タンク室１２には、遠心ポンプ６Ｂの吸込口２３ａが繋がっている。この冷却装置１では、遠心ポンプ６Ａまたは遠心ポンプ６Ｂのみが駆動して１個の遠心ポンプ６のみによって冷却媒体を循環させている。【選択図】図１
2019139611.tif 000002
【特許請求の範囲】
【請求項１】
発熱部品に取り付けられるとともに内部を冷却用の液体である冷却媒体が通過する冷却体と、前記冷却体で加熱された前記冷却媒体を冷却するためのラジエータと、前記冷却体と前記ラジエータとの間で前記冷却媒体を循環させるための第１遠心ポンプおよび第２遠心ポンプの２個の遠心ポンプとを備え、
前記ラジエータは、前記冷却媒体が通過する複数の冷却管と、前記冷却管の外周面に繋がる複数の放熱用のフィンと、複数の前記冷却管の一端が繋がる第１タンク室と、複数の前記冷却管の他端が繋がる第２タンク室とを備え、
前記第１タンク室には、前記第１遠心ポンプの吸込口が繋がり、
前記第２タンク室には、前記第２遠心ポンプの吸込口が繋がり、
前記第１遠心ポンプまたは前記第２遠心ポンプのみが駆動して１個の前記遠心ポンプのみによって前記冷却体と前記ラジエータとの間で前記冷却媒体を循環させることを特徴とする冷却装置。
【請求項２】
前記第１遠心ポンプは、前記第１タンク室に固定され、
前記第２遠心ポンプは、前記第２タンク室に固定されていることを特徴とする請求項１記載の冷却装置。
【請求項３】
前記ラジエータは、細長い直方体状に形成され、
複数の前記冷却管は、直線状に形成され、
前記第１タンク室は、前記ラジエータの長手方向における前記ラジエータの一端部を構成し、
前記第２タンク室は、前記ラジエータの長手方向における前記ラジエータの他端部を構成し、
前記第１遠心ポンプは、前記ラジエータの長手方向における前記ラジエータの一端に固定され、
前記第２遠心ポンプは、前記ラジエータの長手方向における前記ラジエータの他端に固定されていることを特徴とする請求項２記載の冷却装置。
【請求項４】
前記ラジエータの長手方向は、水平方向と一致しており、
前記遠心ポンプには、前記吸込口から吸い込まれた前記冷却媒体が吐出口に向かって通過するポンプ室が形成され、
前記ポンプ室の、前記冷却媒体の出口は、前記吸込口よりも上側に配置されていることを特徴とする請求項３記載の冷却装置。
【請求項５】
前記ラジエータの長手方向は、水平方向と一致しており、
前記第１遠心ポンプの、前記吸込口が形成された吸込口形成部には、前記第１タンク室の内部に配置される第１配管の一端側が接続され、
前記第２遠心ポンプの、前記吸込口が形成された吸込口形成部には、前記第２タンク室の内部に配置される第２配管の一端側が接続され、
前記第１配管の他端は、前記第１タンク室の内部の下端側に配置され、
前記第２配管の他端は、前記第２タンク室の内部の下端側に配置されていることを特徴とする請求項３または４記載の冷却装置。
【発明の詳細な説明】
【技術分野】
【０００１】
本発明は、電子部品等の発熱部品を冷却するための冷却装置に関する。
【背景技術】
【０００２】
従来、ＣＰＵ（Ｃｅｎｔｒａｌ  Ｐｒｏｃｅｓｓｉｎｇ  Ｕｎｉｔ）を冷却するための冷却装置（冷却システム）が知られている（たとえば、特許文献１参照）。特許文献１に記載の冷却装置は、ＣＰＵが搭載されるとともに内部を冷却媒体が通過する受熱ジャケットと、受熱ジャケットで加熱された冷却媒体を冷却するためのラジエータ部と、受熱ジャケットとラジエータ部との間で冷却媒体を循環させる２個の循環ポンプとを備えている。循環ポンプには、循環ポンプの吸込口側と吐出口側とを繋ぐバイパス用のチューブが接続されている。バイパス用のチューブの出口側には、逆止弁が接続されている。
【０００３】
２個の循環ポンプは、チューブ（配管）を介して直列に繋がれている。すなわち、２個の循環ポンプのうちの一方の循環ポンプの吐出口と他方の循環ポンプの吸込口とがチューブを介して繋がれている。２個の循環ポンプのうちの一方の循環ポンプの吸込口とラジエータ部とはチューブを介して繋がれ、他方の循環ポンプの吐出口と受熱ジャケットとはチューブを介して繋がれている。また、受熱ジャケットとラジエータ部とはチューブを介して繋がれている。
【０００４】
特許文献１に記載の冷却装置では、ＣＰＵを冷却するときに、２個の循環ポンプが駆動する。２個の循環ポンプが正常に動作しているときには、冷却媒体は、２個の循環ポンプの働きで受熱ジャケットとラジエータ部との間で循環する。一方で、２個の循環ポンプのうちの一方の循環ポンプが故障等で停止すると、冷却媒体は、他方の循環ポンプの働きで受熱ジャケットとラジエータ部との間で循環する。また、他方の循環ポンプが故障等で停止すると、冷却媒体は、一方の循環ポンプの働きで受熱ジャケットとラジエータ部との間で循環する。
【０００５】
そのため、特許文献１に記載の冷却装置では、２個の循環ポンプのうちの１個の循環ポンプが故障等で停止しても、受熱ジャケットとラジエータ部との間で冷却媒体を循環させてＣＰＵの冷却を行うことが可能となっている。なお、特許文献１に記載の冷却装置では、一方の循環ポンプが故障等で停止すると、他方の循環ポンプの回転速度は、通常の回転速度（２個の循環ポンプが正常に動作しているときの回転速度）の１．５〜２倍となる。また、このときには、冷却媒体は、一方の循環ポンプに接続されたバイパス用のチューブを通過する。同様に、他方の循環ポンプが故障等で停止すると、一方の循環ポンプの回転速度は、通常の回転速度の１．５〜２倍となる。このときには、冷却媒体は、他方の循環ポンプに接続されたバイパス用のチューブを通過する。
【先行技術文献】
【特許文献】
【０００６】
【特許文献１】特開２００５−２２８２３７号公報
【発明の概要】
【発明が解決しようとする課題】
【０００７】
上述のように、特許文献１に記載の冷却装置では、２個の循環ポンプのうちの１個の循環ポンプが故障等で停止しても、受熱ジャケットとラジエータ部との間で冷却媒体を循環させてＣＰＵの冷却を行うことが可能となっている。一方で、特許文献１に記載の冷却装置では、２個の循環ポンプが直列に繋がれており、２個の循環ポンプによって受熱ジャケットとラジエータ部との間で冷却媒体を循環させることが前提となっているため、１個の循環ポンプが故障したときに、もう１個の循環ポンプの回転速度を上げなければならない。
【０００８】
また、特許文献１に記載の冷却装置では、２個の循環ポンプによって受熱ジャケットとラジエータ部との間で冷却媒体を循環させることが前提となっているため、１個の循環ポンプが故障して、回転速度が上がっているもう１個の循環ポンプによって冷却媒体を循環させるときに、故障した循環ポンプが冷却媒体の循環の妨げとならないように、バイパス用のチューブおよび逆止弁が必要になる。したがって、この冷却装置では、冷却装置の構成が複雑になる。
【０００９】
そこで、本発明の課題は、発熱部品を冷却するための冷却体とラジエータとの間で冷却媒体を循環させるための２個の遠心ポンプを備え、１個の遠心ポンプが故障等で停止しても冷却体とラジエータとの間で冷却媒体を循環させることが可能な冷却装置において、構成を簡素化することが可能な冷却装置を提供することにある。
【課題を解決するための手段】
【００１０】
上記の課題を解決するため、本発明の冷却装置は、発熱部品に取り付けられるとともに内部を冷却用の液体である冷却媒体が通過する冷却体と、冷却体で加熱された冷却媒体を冷却するためのラジエータと、冷却体とラジエータとの間で冷却媒体を循環させるための第１遠心ポンプおよび第２遠心ポンプの２個の遠心ポンプとを備え、ラジエータは、冷却媒体が通過する複数の冷却管と、冷却管の外周面に繋がる複数の放熱用のフィンと、複数の冷却管の一端が繋がる第１タンク室と、複数の冷却管の他端が繋がる第２タンク室とを備え、第１タンク室には、第１遠心ポンプの吸込口が繋がり、第２タンク室には、第２遠心ポンプの吸込口が繋がり、第１遠心ポンプまたは第２遠心ポンプのみが駆動して１個の遠心ポンプのみによって冷却体とラジエータとの間で冷却媒体を循環させることを特徴とする。
【００１１】
本発明の冷却装置は、第１遠心ポンプと第２遠心ポンプとの２個の遠心ポンプを備えている。そのため、本発明では、１個の遠心ポンプが故障等で停止しても、もう１個の遠心ポンプによって、冷却体とラジエータとの間で冷却媒体を循環させることが可能になる。
【００１２】
また、本発明では、第１遠心ポンプまたは第２遠心ポンプのみが駆動して１個の遠心ポンプのみによって冷却体とラジエータとの間で冷却媒体を循環させており、２個の遠心ポンプが設けられていても、１個の遠心ポンプのみによって冷却体とラジエータとの間で冷却媒体を循環させることが前提となっている。そのため、本発明では、特許文献１に記載の冷却装置で必要となるバイパス用のチューブおよび逆止弁が設けられていなくても、１個の遠心ポンプによって冷却体とラジエータとの間で冷却媒体を循環させることが可能になる。すなわち、本発明では、特許文献１に記載の冷却装置が備えるバイパス用のチューブおよび逆止弁が不要になる。したがって、本発明では、冷却装置の構成を簡素化することが可能になる。
【００１３】
また、本発明では、第１遠心ポンプの吸込口が第１タンク室に繋がり、第２遠心ポンプの吸込口が第２タンク室に繋がっているため、第１遠心ポンプのみが駆動するときには、ラジエータで冷却された後の冷却媒体が駆動中の第１遠心ポンプの中を通過し、第２遠心ポンプのみが駆動するときには、ラジエータで冷却された後の冷却媒体が駆動中の第２遠心ポンプの中を通過する。すなわち、本発明では、ラジエータで冷却される前の冷却媒体は、駆動用のコイル等が発熱していない停止中の遠心ポンプの中は通過するが、駆動用のコイル等が発熱している駆動中の遠心ポンプの中は通過しない。したがって、本発明では、熱の影響による遠心ポンプの不具合の発生を抑制することが可能になる。
【００１４】
なお、第１遠心ポンプと第２遠心ポンプとを直列に繋げるとともに、たとえば、第１遠心ポンプの吸込口を第１タンク室に繋げ、第１遠心ポンプの吐出口と第２遠心ポンプの吸込口とを繋げることでも、熱の影響による遠心ポンプの不具合の発生を抑制することは可能になる。しかしながら、この場合には、第１遠心ポンプの吐出口と第２遠心ポンプの吸込口とを繋ぐ配管が必要になる。また、この配管によって、第１遠心ポンプの径方向の外側部分に配置される第１遠心ポンプの吐出口と、第２遠心ポンプの中心部に配置される第２遠心ポンプの吸込口とを繋ぐ必要があるため、配管の引き回しが煩雑になる。
【００１５】
本発明において、第１遠心ポンプは、第１タンク室に固定され、第２遠心ポンプは、第２タンク室に固定されていることが好ましい。このように構成すると、第１遠心ポンプおよび第２遠心ポンプの設置状態を安定させることが可能になる。なお、本発明では、第１遠心ポンプの中心部に配置される第１遠心ポンプの吸込口が第１タンク室に繋がっているため、第１遠心ポンプの径方向の外側部分に配置される第１遠心ポンプの吐出口が第１タンク室に繋がっている場合と比較して、第１タンク室に第１遠心ポンプを固定したときに無駄なスペースが生じにくくなる。同様に、本発明では、第２遠心ポンプの中心部に配置される第２遠心ポンプの吸込口が第２タンク室に繋がっているため、第２遠心ポンプの径方向の外側部分に配置される第２遠心ポンプの吐出口が第２タンク室に繋がっている場合と比較して、第２タンク室に第２遠心ポンプを固定したときに無駄なスペースが生じにくくなる。また、特許文献１に記載の冷却装置では、２個の循環ポンプがチューブを介して繋がれ、２個の循環ポンプのうちの一方の循環ポンプとラジエータ部とがチューブを介して繋がれ、他方の循環ポンプと受熱ジャケットとがチューブを介して繋がれているため、２個の循環ポンプの設置状態は安定しない。
【００１６】
本発明において、たとえば、ラジエータは、細長い直方体状に形成され、複数の冷却管は、直線状に形成され、第１タンク室は、ラジエータの長手方向におけるラジエータの一端部を構成し、第２タンク室は、ラジエータの長手方向におけるラジエータの他端部を構成し、第１遠心ポンプは、ラジエータの長手方向におけるラジエータの一端に固定され、第２遠心ポンプは、ラジエータの長手方向におけるラジエータの他端に固定されている。この場合には、たとえば、細長い直方体状に形成されるラジエータの一端に第１遠心ポンプおよび第２遠心ポンプが固定されている場合と比較して、第１遠心ポンプおよび第２遠心ポンプを配置しやすくなる。
【００１７】
本発明において、ラジエータの長手方向は、水平方向と一致しており、遠心ポンプには、吸込口から吸い込まれた冷却媒体が吐出口に向かって通過するポンプ室が形成され、ポンプ室の、冷却媒体の出口は、吸込口よりも上側に配置されていることが好ましい。遠心ポンプが停止しているときには、ポンプ室の中の空気は、ポンプ室の上部に溜まるため、このように構成すると、遠心ポンプの起動時に、ポンプ室の中の空気をポンプ室の外部へ排出しやすくなる。したがって、遠心ポンプの起動、停止を繰り返すことで、ポンプ室の中の空気を確実に抜きやすくなる。
【００１８】
本発明において、ラジエータの長手方向は、水平方向と一致しており、第１遠心ポンプの、吸込口が形成された吸込口形成部には、第１タンク室の内部に配置される第１配管の一端側が接続され、第２遠心ポンプの、吸込口が形成された吸込口形成部には、第２タンク室の内部に配置される第２配管の一端側が接続され、第１配管の他端は、第１タンク室の内部の下端側に配置され、第２配管の他端は、第２タンク室の内部の下端側に配置されていることが好ましい。このように構成すると、第１タンク室の中の上部に空気があっても、第１遠心ポンプが第１タンク室の中の空気を吸い込むのを防止することが可能になる。また、第２タンク室の中の上部に空気があっても、第２遠心ポンプが第２タンク室の中の空気を吸い込むのを防止することが可能になる。
【発明の効果】
【００１９】
以上のように、本発明では、発熱部品を冷却するための冷却体とラジエータとの間で冷却媒体を循環させるための２個の遠心ポンプを備え、１個の遠心ポンプが故障等で停止しても冷却体とラジエータとの間で冷却媒体を循環させることが可能な冷却装置において、冷却装置の構成を簡素化することが可能になる。
【図面の簡単な説明】
【００２０】
【図１】本発明の実施の形態にかかる冷却装置の構成を説明するための概略図である。
【図２】図１に示すラジエータの構成を説明するための概略図である。
【図３】図１に示す遠心ポンプの設置方向を説明するための断面図である。
【図４】図１に示す遠心ポンプの構成および第１遠心ポンプと第１タンク室との接続部分の構成を説明するための断面図である。
【図５】本発明の他の実施の形態にかかる第１遠心ポンプと第１タンク室との接続部分の構成を説明するための図である。
【発明を実施するための形態】
【００２１】
以下、図面を参照しながら、本発明の実施の形態を説明する。
【００２２】
（冷却装置の構成）
図１は、本発明の実施の形態にかかる冷却装置１の構成を説明するための概略図である。図２は、図１に示すラジエータ４の構成を説明するための概略図である。図３は、図１に示す遠心ポンプ６の設置方向を説明するための断面図である。図４は、図１に示す遠心ポンプ６の構成および遠心ポンプ６Ａと第１タンク室１１との接続部分の構成を説明するための断面図である。なお、図４では、図３のＥ−Ｅ断面に相当する断面が図示されている。
【００２３】
本形態の冷却装置１は、発熱部品２を冷却するための装置である。具体的には、冷却装置１は、２個の発熱部品２を冷却するための装置である。本形態の発熱部品２は、電子部品である。具体的には、２個の発熱部品２のうちの一方の発熱部品２は、ＣＰＵであり、他方の発熱部品２は、ＧＰＵ（Ｇｒａｐｈｉｃｓ  Ｐｒｏｃｅｓｓｉｎｇ  Ｕｎｉｔ）である。本形態の冷却装置１は、サーバに取り付けられて使用される。なお、冷却装置１は、パーソナルコンピュータに取り付けられて使用されても良い。
【００２４】
冷却装置１は、発熱部品２に取り付けられるとともに内部を冷却用の液体である冷却媒体が通過する２個の冷却体３と、冷却体３で加熱された冷却媒体を冷却するためのラジエータ４と、ラジエータ４に取り付けられる複数の冷却用のファン５とを備えている。冷却媒体は、たとえば、冷却水である。ただし、冷却媒体は、冷却水以外の液体であっても良い。
【００２５】
また、冷却装置１は、冷却体３とラジエータ４との間で冷却媒体を循環させるための２個の遠心ポンプ６を備えている。以下の説明では、２個の遠心ポンプ６を区別して表す場合には、２個の遠心ポンプ６のうちの一方の遠心ポンプ６を「遠心ポンプ６Ａ」とし、他方の遠心ポンプ６を「遠心ポンプ６Ｂ」とする。本形態の遠心ポンプ６Ａは、第１遠心ポンプであり、遠心ポンプ６Ｂは、第２遠心ポンプである。
【００２６】
冷却体３は、平板状に形成された冷却プレートである。平板状に形成される冷却体３の一方の面は、発熱部品２に接触している。冷却体３の内部には、冷却媒体が通過する流路が形成されている。２個の冷却体３は、ラジエータ４に対して直列に接続されている。具体的には、２個の冷却体３は、樹脂製のチューブ等からなる配管８を介して直列に接続されている。
【００２７】
ラジエータ４は、細長い直方体状に形成されている。ラジエータ４は、ラジエータ４の長手方向と水平方向とが一致するように配置されている。すなわち、ラジエータ４の長手方向は、水平方向と一致している。ラジエータ４は、冷却媒体が通過する複数の冷却管９と、冷却管９の外周面に繋がる複数の放熱用のフィン１０と、複数の冷却管９の一端が繋がる第１タンク室１１と、複数の冷却管９の他端が繋がる第２タンク室１２とを備えている。複数のファン５は、ラジエータ４の側面に固定されており、複数のフィン１０に向かって送風する。
【００２８】
本形態のラジエータ４は、たとえば、３本の冷却管９を備えている。冷却管９は、細長い直線状に形成されている。冷却管９の長手方向は、ラジエータ４の長手方向と一致している。冷却管９の断面形状は、扁平な長円形状となっている。第１タンク室１１は、ラジエータ４の長手方向におけるラジエータ４の一端部を構成している。第２タンク室１２は、ラジエータ４の長手方向におけるラジエータ４の他端部を構成している。
【００２９】
第１タンク室１１および第２タンク室１２は、中空状に形成されている。冷却管９の内周側は、第１タンク室１１の内部および第２タンク室１２の内部に通じている。冷却管９を通過する前の冷却媒体は、第１タンク室１１および第２タンク室１２のいずれか一方の内部に溜まり、冷却管９を通過した後の冷却媒体は、第１タンク室１１および第２タンク室１２のいずれか他方の内部に溜まっている。
【００３０】
遠心ポンプ６は、キャンドポンプ（キャンドモータポンプ）と呼ばれるタイプのポンプである。図４に示すように、遠心ポンプ６は、モータ１５と、モータ１５の動力で回転する羽根車１６と、モータ１５を制御するための回路基板１７とを備えている。モータ１５は、ＤＣブラシレスモータである。モータ１５は、ロータ１９とステータ２０とを備えている。本形態のモータ１５は、アウターロータ型のモータである。羽根車１６は、ポンプケース２１に収容されている。ポンプケース２１は、モータ１５の一部を構成するモータケース２２と、モータケース２２に固定されるケース体２３とから構成されている。
【００３１】
ケース体２３には、冷却媒体の吸込口２３ａと、冷却媒体の吐出口２３ｂとが形成されている。ポンプケース２１の内部には、吸込口２３ａから吸い込まれた冷却媒体が吐出口２３ｂに向かって通過するポンプ室２４が形成されている。すなわち、遠心ポンプ６には、ポンプ室２４が形成されている。モータケース２２とケース体２３との接合部分には、ポンプ室２４の密閉性を確保するための環状のシール部材２５が配置されている。シール部材２５は、Ｏリングである。モータケース２２とケース体２３とは、ネジによって互いに固定されている。
【００３２】
ロータ１９は、円筒状に形成される駆動用磁石２８と、駆動用磁石２８が固定される円筒状の磁石保持部材２９とを備えている。駆動用磁石２８は、磁石保持部材２９の内周面に固定されている。駆動用磁石２８の内周面には、Ｎ極とＳ極とが周方向において交互に着磁されている。磁石保持部材２９の一端は、羽根車１６に固定されている。羽根車１６およびロータ１９は、ポンプ室２４の内部に配置されている。
【００３３】
羽根車１６およびロータ１９は、固定軸３０に回転可能に支持されている。固定軸３０は、羽根車１６に形成される貫通穴に挿通されている。固定軸３０は、固定軸３０の軸方向と水平方向とが一致するように配置されている。固定軸３０の一端部は、ケース体２３に保持され、固定軸３０の他端部は、モータケース２２に保持されている。ケース体２３と羽根車１６との間には、スラスト軸受部材３１が配置され、モータケース２２と羽根車１６との間には、スラスト軸受部材３２が配置されている。
【００３４】
ステータ２０は、駆動用磁石２８の内周側に配置されている。ステータ２０は、複数の駆動用コイル３４と、ステータコア３５とを備えている。駆動用コイル３４は、樹脂等の絶縁性材料で形成されたインシュレータ３６を介してステータコア３５の突極部に巻回されている。また、駆動用コイル３４は、回路基板１７に電気的に接続されている。回路基板１７およびステータコア３５は、モータケース２２に固定されている。なお、回路基板１７およびステータ２０は、ポッティング樹脂によって覆われている。
【００３５】
モータケース２２は、ポンプ室２４とステータ２０とを隔てるようにポンプ室２４とステータ２０との間に配置される隔壁２２ａと、固定軸３０の他端部を保持する軸保持部２２ｂとを備えている。隔壁２２ａは、ステータ２０および回路基板１７の配置箇所へのポンプ室２４内の冷却媒体の流入を防止する機能を果たしている。軸保持部２２ｂは、モータ１５の径方向における中心に配置されており、隔壁２２ａに繋がっている。
【００３６】
ケース体２３は、筒状に形成される筒部２３ｃと筒部２３ｃの一端を塞ぐ底部２３ｄとを有する有底の筒状に形成されている。モータケース２２は、筒部２３ｃの他端側に接合されている。ケース体２３は、筒部２３ｃの軸方向と水平方向とが一致するように配置されている。ケース体２３は、固定軸３０の一端部を保持する軸保持部２３ｅと、先端に吸込口２３ａが形成される円筒状の吸込口形成部２３ｆと、先端に吐出口２３ｂが形成される円筒状の吐出口形成部２３ｇとを備えている。
【００３７】
軸保持部２３ｅは、モータ１５の径方向における中心に配置されている。また、軸保持部２３ｅは、筒部２３ｃの径方向における底部２３ｄの中心に配置されており、底部２３ｄの中心部に繋がっている。吸込口形成部２３ｆは、筒部２３ｃの径方向における底部２３ｄの中心から水平方向の外側に突出している。円筒状に形成される吸込口形成部２３ｆの軸心は、固定軸３０の軸心と一致している。吐出口形成部２３ｇは、筒部２３ｃの外周面から外周側に向かって突出している。
【００３８】
遠心ポンプ６Ａは、ラジエータ４の長手方向におけるラジエータ４の一端に固定されている。すなわち、遠心ポンプ６Ａは、第１タンク室１１に固定されている。遠心ポンプ６Ａは、ネジによって第１タンク室１１の側面に固定されている。また、遠心ポンプ６Ａは、遠心ポンプ６Ａの固定軸３０の軸方向とラジエータ４の長手方向とが一致するように第１タンク室１１に固定されている。
【００３９】
第１タンク室１１には、遠心ポンプ６Ａの吸込口２３ａが繋がっている。すなわち、遠心ポンプ６Ａの吸込側は、第１タンク室１１の内部に通じている。図４に示すように、第１タンク室１１の、遠心ポンプ６Ａが固定される側面１１ａには、吸込口形成部２３ｆが挿入される貫通穴１１ｂが形成されている。遠心ポンプ６Ａの吐出口２３ｂは、樹脂製のチューブ等からなる配管３７を介して２個の冷却体３のうちの一方の冷却体３に繋がっている。遠心ポンプ６Ａでは、図３に示すように、ポンプ室２４の、冷却媒体の出口２４ａが吸込口２３ａよりも上側に配置されている。
【００４０】
図４に示すように、遠心ポンプ６Ａのケース体２３の底部２３ｄと側面１１ａとの間には、遠心ポンプ６Ａと第１タンク室１１との間からの冷却媒体の漏れを防止するための環状のシール部材３８が配置されている。シール部材３８は、Ｏリングである。シール部材３８は、吸込口形成部２３ｆを囲むように底部２３ｄの外周側に配置されている。シール部材３８の内周側の、底部２３ｄと側面１１ａとの間には、遠心ポンプ６Ａと第１タンク室１１との間からの冷却媒体の漏れを防止するための接着剤３９が塗布されている。接着剤３９は、シール部材３８の内周側で全周に亘って塗布されている。
【００４１】
遠心ポンプ６Ｂは、ラジエータ４の長手方向におけるラジエータ４の他端に固定されている。すなわち、遠心ポンプ６Ｂは、第２タンク室１２に固定されている。遠心ポンプ６Ｂは、ネジによって第２タンク室１２の側面に固定されている。また、遠心ポンプ６Ｂは、遠心ポンプ６Ｂの固定軸３０の軸方向とラジエータ４の長手方向とが一致するように第２タンク室１２に固定されている。
【００４２】
第２タンク室１２には、遠心ポンプ６Ｂの吸込口２３ａが繋がっており、遠心ポンプ６Ｂの吸込側は、第２タンク室１２の内部に通じている。第１タンク室１１と同様に、第２タンク室１２の、遠心ポンプ６Ｂが固定される側面には、遠心ポンプ６Ｂの吸込口形成部２３ｆが挿入される貫通穴が形成されている。遠心ポンプ６Ｂの吐出口２３ｂは、樹脂製のチューブ等からなる配管４０を介して２個の冷却体３のうちの他方の冷却体３に繋がっている。また、遠心ポンプ６Ａと同様に、遠心ポンプ６Ｂでは、ポンプ室２４の、冷却媒体の出口２４ａが吸込口２３ａよりも上側に配置されている。
【００４３】
遠心ポンプ６Ｂのケース体２３の底部２３ｄと第２タンク室１２の側面との間にも、遠心ポンプ６Ｂと第２タンク室１２との間からの冷却媒体の漏れを防止するための環状のシール部材３８が配置されている。また、シール部材３８の内周側には、遠心ポンプ６Ｂと第２タンク室１２との間からの冷却媒体の漏れを防止するための接着剤３９が塗布されている。
【００４４】
以上のように構成された冷却装置１では、遠心ポンプ６Ａまたは遠心ポンプ６Ｂのみが駆動して１個の遠心ポンプ６のみによって冷却体３とラジエータ４との間で冷却媒体を循環させる。たとえば、通常、遠心ポンプ６Ａのみが駆動して１個の遠心ポンプ６Ａのみによって冷却体３とラジエータ４との間で冷却媒体を循環させる。このときには、図１（Ａ）の矢印で示すように、冷却媒体は、図１の反時計回りの方向に流れる。また、このときには、停止している遠心ポンプ６Ｂのポンプ室２４の中を冷却媒体が流れる。
【００４５】
また、遠心ポンプ６Ａが故障等によって停止すると、遠心ポンプ６Ｂのみが駆動して１個の遠心ポンプ６Ｂのみによって冷却体３とラジエータ４との間で冷却媒体を循環させる。このときには、図１（Ｂ）の矢印で示すように、冷却媒体は、図１の時計回りの方向に流れる。また、このときには、停止している遠心ポンプ６Ａのポンプ室２４の中を冷却媒体が流れる。
【００４６】
（本形態の主な効果）
以上説明したように、本形態の冷却装置１は、２個の遠心ポンプ６を備えている。そのため、本形態では、１個の遠心ポンプ６が故障等で停止しても、もう１個の遠心ポンプ６によって、冷却体３とラジエータ４との間で冷却媒体を循環させることが可能になる。
【００４７】
本形態では、１個の遠心ポンプ６のみによって冷却体３とラジエータ４との間で冷却媒体を循環させており、２個の遠心ポンプ６が設けられていても、１個の遠心ポンプ６のみによって冷却体３とラジエータ４との間で冷却媒体を循環させることが前提となっている。そのため、本形態では、特許文献１に記載の冷却装置で必要となるバイパス用のチューブおよび逆止弁が設けられていなくても、１個の遠心ポンプ６によって冷却体３とラジエータ４との間で冷却媒体を循環させることが可能になる。したがって、本形態では、バイパス用のチューブおよび逆止弁が不要になり、その結果、冷却装置１の構成を簡素化することが可能になる。
【００４８】
本形態では、遠心ポンプ６Ａの吸込口２３ａが第１タンク室１１に繋がり、遠心ポンプ６Ｂの吸込口２３ａが第２タンク室１２に繋がっている。そのため、本形態では、遠心ポンプ６Ａのみが駆動するときに、ラジエータ４で冷却された後の冷却媒体が駆動中の遠心ポンプ６Ａの中を通過し、遠心ポンプ６Ｂのみが駆動するときに、ラジエータ４で冷却された後の冷却媒体が駆動中の遠心ポンプ６Ｂの中を通過する。すなわち、本形態では、ラジエータ４で冷却される前の冷却媒体は、駆動用コイル３４が発熱していない停止中の遠心ポンプ６のポンプ室２４の中は通過するが、駆動用コイル３４が発熱している駆動中の遠心ポンプ６のポンプ室２４の中は通過しない。したがって、本形態では、熱の影響による遠心ポンプ６の不具合の発生を抑制することが可能になる。
【００４９】
本形態では、遠心ポンプ６Ａは第１タンク室１１に固定され、遠心ポンプ６Ｂは第２タンク室１２に固定されている。そのため、本形態では、２個の遠心ポンプ６の設置状態を安定させることが可能になる。また、本形態では、遠心ポンプ６Ａの中心部に配置される吸込口２３ａが第１タンク室１１に繋がっているため、遠心ポンプ６Ａの外周側に配置される吐出口２３ｂが第１タンク室１１に繋がっている場合と比較して、第１タンク室１１に遠心ポンプ６Ａを固定したときに無駄なスペースが生じにくくなる。同様に、本形態では、遠心ポンプ６Ｂの中心部に配置される吸込口２３ａが第２タンク室１２に繋がっているため、遠心ポンプ６Ｂの外周側に配置される吐出口２３ａが第２タンク室１２に繋がっている場合と比較して、第２タンク室１２に遠心ポンプ６Ｂを固定したときに無駄なスペースが生じにくくなる。
【００５０】
本形態では、ポンプ室２４の、冷却媒体の出口２４ａは、吸込口２３ａよりも上側に配置されている。そのため、本形態では、遠心ポンプ６の起動時に、ポンプ室２４の中の空気をポンプ室２４の外部へ排出しやすくなる。すなわち、遠心ポンプ６が停止しているときには、ポンプ室２４の中の空気は、ポンプ室２４の上部に溜まるため、ポンプ室２４の、冷却媒体の出口２４ａが吸込口２３ａよりも上側に配置されていると、遠心ポンプ６の起動時に、ポンプ室２４の中の空気をポンプ室２４の外部へ排出しやすくなる。したがって、本形態では、遠心ポンプ６の起動、停止を繰り返すことで、ポンプ室２４の中の空気を確実に抜きやすくなる。
【００５１】
（他の実施の形態）
上述した形態は、本発明の好適な形態の一例ではあるが、これに限定されるものではなく本発明の要旨を変更しない範囲において種々変形実施が可能である。
【００５２】
上述した形態において、図５に示すように、遠心ポンプ６Ａの吸込口形成部２３ｆに、第１タンク室１１の内部に配置される樹脂製のチューブ等の第１配管４３の一端側が接続され、第１配管４３の他端が第１タンク室１１の内部の下端側に配置されていても良い。この場合には、第１タンク室１１の中の上部に空気があっても、遠心ポンプ６Ａが第１タンク室１１の中の空気を吸い込むのを防止することが可能になる。なお、図５では、シール部材３８および接着剤３９等の図示を省略している。
【００５３】
同様に、上述した形態において、遠心ポンプ６Ｂの吸込口形成部２３ｆに、第２タンク室１２の内部に配置される樹脂製のチューブ等の第２配管の一端側が接続され、第２配管の他端が第２タンク室１２の内部の下端側に配置されていても良い。この場合には、第２タンク室１２の中の上部に空気があっても、遠心ポンプ６Ｂが第２タンク室１２の中の空気を吸い込むのを防止することが可能になる。
【００５４】
上述した形態において、遠心ポンプ６Ａは、樹脂製のチューブ等の配管を介して第１タンク室１１に繋がっていても良い。すなわち、遠心ポンプ６Ａは、第１タンク室１１に固定されていなくても良い。同様に、上述した形態において、遠心ポンプ６Ｂは、樹脂製のチューブ等の配管を介して第２タンク室１２に繋がっていても良い。また、上述した形態において、ポンプ室２４の、冷却媒体の出口２４ａは、吸込口２３ａと同じ高さに配置されていても良いし、吸込口２３ａより下側に配置されていても良い。
【００５５】
上述した形態において、２個の冷却体３は、ラジエータ４に対して並列に接続されていても良い。また、上述した形態において、冷却装置１が備える冷却体３の数は、１個であっても良いし、３個以上であっても良い。さらに、上述した形態において、ラジエータ４の長手方向は、水平方向に対して傾いていても良い。また、上述した形態において、発熱部品２は、電子部品以外の部品であっても良い。
【符号の説明】
【００５６】
１  冷却装置
２  発熱部品
３  冷却体
４  ラジエータ
６  遠心ポンプ
６Ａ  第１遠心ポンプ
６Ｂ  第２遠心ポンプ
９  冷却管
１０  フィン
１１  第１タンク室
１２  第２タンク室
２３ａ  吸込口
２３ｂ  吐出口
２３ｆ  吸込口形成部
２４  ポンプ室
２４ａ  冷却媒体の出口
４３  第１配管
【図１】
2019139611.tif 000003
【図２】
2019139611.tif 000004
【図３】
2019139611.tif 000005
【図４】
2019139611.tif 000006
【図５】
2019139611.tif 000007